(57)【要約】【課題】タオルをタオル掛けにかけて数回使用するときに、使用後のタオルが濡れていて気分よくタオルの使用ができなかったり、壁紙や壁クロスを汚染したり損傷したりする恐れがあった。【解決手段】壁面に取り付けられたブラケットの軸受けにタオルリングまたはタオルバーが回動しないように軸止されたタオル掛けにおいて、タオルリングまたはタオルバーに掛けたタオルが壁面と隙間ができ、しかも掛けたタオル同志の間となる奥側と手前側にも隙間ができるようになっていることを特徴とするタオル掛けを提供する。【選択図】図１
2018068794.tif 000002
【特許請求の範囲】
【請求項１】
壁面に取り付けられたブラケットの軸受けにタオルリングまたはタオルバーが回動しないように軸止されたタオル掛けにおいて、タオルリングまたはタオルバーに掛けたタオルが壁面と隙間ができ、しかも掛けたタオル同志の間となる奥側と手前側にも隙間ができるようになっていることを特徴とするタオル掛け。
【発明の詳細な説明】
【技術分野】
【０００１】
本発明は、洗面所、トイレ等に使用する快適なタオル掛けに関する。
【背景技術】
【０００２】
従来のタオル掛けは掛けたタオルが濡れた場合、壁面と接触することで乾燥がしにくかったり、壁紙や壁クロスを汚染したり損傷したりすることがあった。また、掛けたタオル同志にも隙間がないため、風通しが悪く、乾燥がしにくかった。
【先行技術文献】
【特許文献】
【０００３】
【特許文献１】特開平９−１５４７６３タオル掛けがあるが壁面とタオルの隙間を空けることはできるが、タオル同志の隙間を空けることが出来ないため、濡れたタオルを早期に乾燥させることは難しい。
【非特許文献】
【０００４】
【非特許文献１】タオルの使用を１回限りとし、毎回入れ替えれば濡れ対策としては問題はないが、タオルの洗濯と準備の手間が大変である。
【発明の概要】
【発明が解決しようとする課題】
【０００５】
タオルをタオル掛けにかけて数回使用するときに、使用後のタオルが濡れていて気分よくタオルの使用ができなかったり、壁紙や壁クロスを汚染したり損傷したりする恐れがあった。
【課題を解決するための手段】
【０００６】
上記の課題を解決するため、壁面に取り付けられたブラケットの軸受けにタオルリングまたはタオルバーが回動しないように軸止されたタオル掛けにおいて、タオルリングまたはタオルバーに掛けたタオルが壁面と隙間ができ、しかも掛けたタオル同志の間となる奥側と手前側にも隙間ができるようになっていることを特徴とするタオル掛けを提供する。
【発明の効果】
【０００７】
タオルをタオル掛けにかけて数回使用するときに、使用後のタオルがよく乾燥し、気持ちよく使用ができ、壁紙や壁クロスを汚染したり損傷したりする恐れもない。
【図面の簡単な説明】
【０００８】
【図１】本発明の実施例２の図４、図５にタオルを掛けたときの側面図
【図２】実施例１の平面図
【図３】図２の側面図
【図４】実施例２の平面図
【図５】図４の側面図
【図６】ストッパー１（２ａ）の平面図
【図７】図６の側面図
【図８】ブラケット部品１（２ｂ）平面図
【図９】図８の側面図
【図１０】実施例３の平面図
【発明を実施するための形態】
【０００９】
図面を参照して本発明の実施の形態を説明する。図１は実施例２の図４、図５にタオルを掛けたときの側面図で本発明の特徴を表している。壁との隙間６とタオル同志の隙間７が確保できるため風通りがよく、一度使用して濡れたタオルが乾燥しやすい。図２、図３は実施例１で、壁１にブラケット１（２）を固定し、ブラケット１（２）にタオルリング１（３）を軸止したものでタオルリング１（３）の中央部にはタオルを掛けるためのタオル掛け部１（３ａ）があり、このタオル掛け部１（３ａ）の縦方向の長さによってタオル同志の隙間７が決定される。孔３ｂは風通しを良くして乾燥を促進させるためのものである。タオル掛け部１（３ａ）はタオルがスムーズに掛けられるよう、なめらかで角がなく丸みを帯びたものがよい。図４、図５は図２、図３を応用したもので、タオルリング２（１０）の壁面との角度を変えることによって、壁面からのタオルの出っ張りと壁面とタオルの壁との隙間６を自在に設定できるものである。ストッパー２（９ａ）は２本の固定ボルト８で壁１に固定した後、ブラケット部品２（９ｂ）をストッパー２（９ａ）に挿入してブラケット２（９）を完成させる。これは外部から固定ボルト８が見えなくなることと装飾性を向上させるための一例である。図６から図９はストッパー１（２ａ）にブラケット部品１（２ｂ）を挿入した時、凸部２ａａが凹部２ｂａに入り込み係止することを表した一例である。図１０はバーを利用した本発明のタオル掛けの一例で、タオルバー１２を壁に固定したブラケット３（１１）に軸止した時の平面図である。以上、本発明の実施の形態を図により説明したが、本発明の具体的な実施の形態は図示の本発明の実施の形態に限定されるものではなく、本発明の要旨を逸脱しない範囲の各種の設計変更は本発明の範囲に含まれる。例えば、図示の実施の形態においては、タオルリング１（３）は四角であるが、回転する円形以外であれば、楕円でも多角形でもよい。
【実施例】
【００１０】
板厚１３ｍｍの杉板を使用し、ボール盤加工と卓上糸ノコ盤加工でタオルリング１（３）を製作した。タオルリング１（３）のタオル挿入口の幅は最大１４０ｍｍ縦は６０ｍｍ、タオル掛け部１（３ａ）の幅は１２５ｍｍ縦は５０ｍｍ、孔３ｂは幅１０ｍｍ縦３４ｍｍのものを６か所作った。板厚３８ｍｍ幅８９ｍｍ長さ５０ｍｍの杉板を使用し、ボール盤加工と卓上糸ノコ盤加工でストッパー１（２ａ）とブラケット部品１（２ｂ）を製作した。ストッパー１（２ａ）は幅５０ｍｍ高さ１９ｍｍ縦２４ｍｍ、根元幅１３ｍｍ高さ１０ｍｍのものをブラケット１（２）から卓上糸ノコ盤で切り出した。ブラケット部品１（２ｂ）は幅５０ｍｍ高さ５０ｍｍ縦３８ｍｍで根元高さが２４ｍｍ、タオルリング１（３）挿入部の幅が１３ｍｍのものを製作した。タオルリング１（３）を挿入する四角の孔部分を半分に切り離してタオルリング１（３）を挿入した後、切り離した四角の孔部分を上から元の位置へ被せ、木材用ボンドで接着させてタオル掛けを完成させた。完成後、洗面台の壁に取り付け、タオルを掛けたとき、隙間６が４０ｍｍ隙間７が１０ｍｍできることを確認し、通常に使用した時、市販のタオルリング式タオル掛けに比べ、タオルの渇きが早く気持ちよく使用できることと、壁面の汚れや損傷がないことを確認した。試作は木材で行なったが、プラスチック材料で成型加工すれば、安価で装飾性が良く、組み立てやすいものを製作することが出来る。
【産業上の利用可能性】
【００１１】
壁面に取り付けられたブラケットの軸受けにタオルリングまたはタオルバーが回動しないように軸止されたタオル掛けにおいて、タオルリングまたはタオルバーに掛けたタオルが壁面と隙間ができ、しかも掛けたタオル同志の間となる奥側と手前側にも隙間ができるようになっているためタオルが乾燥しやすく、壁面に汚れや損傷もないタオル掛けを安価に提供でき、広く利用されるものである。
【符号の説明】
【００１２】
１      壁
２      ブラケット１
２ａ      ストッパー１
２ａａ      凸部
２ｂ      ブラケット部品１
２ｂａ    凹部
３      タオルリング１
３ａ     タオル掛け部１
３ｂ      孔
４      タオル
６      壁との隙間
７      タオル同志の隙間
８      固定ねじ
９      ブラケット２
９ａ    ストッパー２
９ｂ    ブラケット部品２
１０     タオルリング２
１０ａ    タオル掛け部２
１１      ブラケット３
１２      タオルバー
【図１】
2018068794.tif 000003
【図２】
2018068794.tif 000004
【図３】
2018068794.tif 000005
【図４】
2018068794.tif 000006
【図５】
2018068794.tif 000007
【図６】
2018068794.tif 000008
【図７】
2018068794.tif 000009
【図８】
2018068794.tif 000010
【図９】
2018068794.tif 000011
【図１０】
2018068794.tif 000012